(57)【要約】【課題】温室の両開きタイプで開閉するスライド式ドアに簡便な構造で実施でき、左右いずれか一方のドアを開閉するだけで、他方のドアが同時に自動的に開閉する経済的な温室用のスライド式ドアを提供する。【解決手段】ベース板９の両端部に配置された左右一対の端部ローラー１、２と、ベース板９の中央部に配置された左右一対の中央ローラー３、４と、中央ローラー３、４と端部ローラー１、２との間に配置された左右一対の介在ローラー５、６にワイヤー８が巻き掛けられる。左側の端部ローラー１と左側の中央ローラー３に巻き掛けられるワイヤー８に一方のドア３０Ａの上部が接続され、右側の端部ローラー２と右側の中央ローラー４に巻き掛けられるワイヤー８に他方のドア３０Ｂの上部が接続され、いずれか一方のドア３０Ａの開き動作に応じて他方のドア３０Ｂが同時に開き、いずれか一方のドア３０Ａの閉じ動作に応じて他方のドア３０Ｂが同時に閉じる【選択図】図１８
2020145934.tif 000002
【特許請求の範囲】
【請求項１】
温室の出入口開口の上辺レール近傍に設置されるベース板に、エンドレス状のワイヤーが複数のローラーを介して設置され、前記上辺レール又は下辺レール内で戸車を備えた左右のスライド式ドアの各上部が前記ワイヤーに接続され、左右いずれか一方の前記ドアの開閉に応じて他方のドアが同時に開閉される温室用のスライド式ドアであって、
ａ）前記ローラーは、前記ベース板の両端部に配置された左右一対の端部ローラーと、前記ベース板の中央部に配置された左右一対の中央ローラーと、その中央ローラーと前記端部ローラーとの間に配置された左右一対の介在ローラーとで成ると共に、
ｂ）前記ワイヤーは、左側の端部ローラーに巻き掛けられて内方に向った後、左側の中央ローラーに巻き掛けられて外方に向い、左側の介在ローラーに巻き掛けられて再度内方に向い、右側の端部ローラーに巻き掛けられて内方に向った後、右側の中央ローラーに巻き掛けられて外方に向い、右側の介在ローラーに巻き掛けられて再度内方に向い、前記左側の端部ローラーに巻き掛けられる前の当該ワイヤーに接続されてエンドレス状に形成されて成り、
ｃ）前記左側の端部ローラーと左側の中央ローラーに巻き掛けられるワイヤーに前記一方のドアの上部が接続され、前記右側の端部ローラーと右側の中央ローラーに巻き掛けられるワイヤーに前記他方のドアの上部が接続され、前記左右いずれか一方のドアの開き動作に応じて他方のドアが同時に開き、前記左右いずれか一方のドアの閉じ動作に応じて他方のドアが同時に閉じる構成であることを特徴とする温室用のスライド式ドア。
【請求項２】
前記左右いずれか一方の介在ローラーは、他の各ローラーより上方かつ奥行方向に離隔して設けられていることを特徴とする、請求項１に記載した温室用のスライド式ドア。
【請求項３】
前記左右いずれか一方の端部ローラーと、その端部ローラーとは反対側の介在ローラーとの間に巻き掛けられるワイヤーに、当該ワイヤーの引張り力を調節するテンション用ローラーが設けられていることを特徴とする、請求項１又は２に記載した温室用のスライド式ドア。
【請求項４】
前記左右のスライド式ドアの各上部の内端部に、Ｌ字型のワイヤー固定金具が設置され、そのワイヤー固定金具に前記ワイヤーが接続固定されていることを特徴とする、請求項１又は３に記載した温室用のスライド式ドア。
【請求項５】
前記左右のスライド式ドアの戸車には、ベアリングが装填されていることを特徴とする、請求項１又は４に記載した温室用のスライド式ドア。
【請求項６】
前記ベース板は、前記上辺レールの内側面でＵボルトを介して温室の支柱パイプに取り付けられていることを特徴とする、請求項１に記載した温室用のスライド式ドア。
【請求項７】
前記ローラーとワイヤーが、ベース板のない上辺レールに直接設置されていることを特徴とする、請求項１又は２又は３又は４又は６に記載した温室用のスライド式ドア。
【請求項８】
前記左右いずれか一方のドアの上部に、第２ワイヤー引き込み式のぜんまいユニットが設置され、かつ前記第２ワイヤーの先端が前記上辺レール又はベース板に接続され、左右いずれか一方のドアが開かれた後の解除時に、前記ぜんまいユニットの第２ワイヤーが引き込まれて当該左右両方のドアが同時に自閉されることを特徴とする、請求項１又は４又は５又は６に記載した温室用のスライド式ドア。
【発明の詳細な説明】
【技術分野】
【０００１】
この発明は、温室用のスライド式ドアに関し、さらに言えば、図２２に示したような温室の出入口開口の上辺レール近傍に設置するワイヤーとローラーの簡便構造により、出入口開口の左右のスライド式ドアの左右いずれか一方の開閉に応じて、他方のドアが同時に自動的に開閉される温室用のスライド式ドアの技術分野に属する。
【背景技術】
【０００２】
従来、温室の出入口開口に実施されるスライド式ドアとして、例えば、本出願人が開発した下記特許文献１がある。この発明は、同文献１の符号を援用すると、上辺レール３は横断面形状の基本形が下向きに開口部９を有するリップ付溝形鋼状をなし、内向きの左右のリップ７の上面７ａが戸車の走行面とされ、片側のリップ７の端縁はリップ下側へ折り返してリップ７との間にセルフタップビス８をねじ込み可能な間隙の溝部６が形成され、更に側板３ａの延長線上で略垂直下向きに屈曲した垂下面部１１が形成され、シート止め材５が溝部６へのねじ込みにより上辺レール３に取付けられ、ドア４のダブル車輪１２はリップ７の上面７ａに走行可能に載置したスライド式ドアである。
【０００３】
また、下記特許文献２のように、一方の引戸が一方的にスライドすると、それに連動して他側の引戸を反対の他方向にスライドさせて戸枠開口部を開閉する連動引分け式吊戸装置も公知である。その吊戸装置は、同文献２の符号を援用すると、引戸支持側の吊り金具ユニットＤと引戸側の吊りボルト１５とに分けて構成され、吊り金具ユニットは、薄型なスライドレール体ｒ１・ｒ２と、左右一対の滑車３０と、滑車の直径と高さに対応させた大きさの高上げスペーサ４０および吊りボルトが掛け止められる切欠き穴４１を有し、高上げスペーサを左右のインナーレール２５に固着した第１および第２の取付金具２０・２１と、高上げスペーサを平行な直線ワイヤー部で挟んで滑車間に掛け回し、一側の直線ワイヤー部を第１取付金具の高上げスペーサに連結する一方、他側の直線ワイヤー部を第２の取付金具の高上げスペーサに連結して巻装した連動ワイヤー１９を備える連動引分け式吊戸装置である。
【先行技術文献】
【特許文献】
【０００４】
【特許文献１】特許第２７６４６９８号公報
【特許文献２】特許第３９２０８７０号公報
【発明の概要】
【発明が解決しようとする課題】
【０００５】
上記した特許文献１のスライド式ドア構造によれば、上辺レール３のリップ７，７上に載置されたダブル車輪１２はバランスよく走行するので、スライド式ドアの走行の安定化に寄与し、スライド式ドア４の利用価値が高められる上、上辺レール３に直接シート止め材５又は５’を固定でき、所望のシート１９又は２０を張設することができる自在性がある。しかし、温室用のスライド式ドアの左右いずれか一方の開閉に応じて、他方のドアが同時に自動的に開閉されるものではない。
【０００６】
また、特許文献２の吊戸装置は、その吊り金具ユニットとして、上枠の長手方向に沿って固定するアウターレールに対し、左右一対のインナーレールを上下に重ねて、リテーナで保持した多数のボールを介してスライド自在に係合させてなるスライドレール体が必要である上、複雑な構成の第１の取付金具２０・２０及び第２の取付金具２１・２１の部品を要する。
すなわち、その取付金具は、第１の取付金具２０・２０は、掛止め金具ユニットＣの掛止め金具１１・１１と対応させて一対備え、第２の取付金具２１・２１は、掛止め金具１２・１２と対応させて一対備えている。これら左右の取付金具２０・２０、２１・２１は、それぞれ高上げスペーサ４０と、ボルト取付ケース４１とからなる。高上げスペーサ４０は、滑車３０の高さと直径に対応させて、高さと幅を規定した細長な直方形状のアルミニウム製ブロックからなる。ボルト取付ケース４１は、金属板を用いて全体に略薄箱状に曲げ成形し、長手方向両端にＬ板状に曲げたねじ止め鍔部４１ａを設けると共に、片側側面を開放してボルト取付口を設け、そのボルト取付口にボルト抜け止め蓋４２を取り外し可能にネジで止めて被せている。一方、底板部４１ｂには、ボルト抜け止め蓋４２寄りの側縁に、吊りボルト１５を掛け止めるＵ状の切欠き穴４５が設けられている。そして、第１の取付金具２０・２０は、ボルト取付ケース４１を高上げスペーサ４０を間に挟んで止めネジ４４・４４によりスライドレール体ｒ１のインナーレール２５にそれぞれ固着している。同様に、第２の取付金具２１・２１は、ボルト取付ケース４１を高上げスペーサ４０を間に挟んで止めネジ４６・４６によりスライドレール体ｒ２のインナーレール２５にそれぞれ固着（特許文献２の段落番号００１９参照）している複雑な構成の部品であり、それを実施するに当たりコスト高が余儀なくされる。
【０００７】
したがって、本発明は上記のような問題点を解決すべくなされたもので、その目的は、温室の出入口開口に適用される両開きタイプで開閉するスライド式ドアに、エンドレスワイヤーとローラーの簡便な構造で実施でき、作業員は左右いずれか一方のドアを開閉するだけで、他方のドアが同時に自動的に開閉して使い勝手がよくて経済的な温室用のスライド式ドアを提供することである。
【課題を解決するための手段】
【０００８】
上記の課題を解決するための手段として、請求項１に記載した発明は、温室１０の出入口開口１１の上辺レール１２近傍に設置されるベース板９に、エンドレス状のワイヤー８が複数のローラー１〜６を介して設置され、前記上辺レール１２又は下辺レール１３内で戸車４０を備えた左右のスライド式ドア３０の各上部３１が前記ワイヤー８に接続され、左右いずれか一方の前記ドア３０Ａ（又は３０Ｂ）の開閉に応じて他方のドア３０Ｂ（又は３０Ａ）が同時に開閉される温室用のスライド式ドアであって、
ａ）前記ローラー１〜６は、前記ベース板９の両端部に配置された左右一対の端部ローラー１、２と、前記ベース板９の中央部に配置された左右一対の中央ローラー３、４と、その中央ローラー３、４と前記端部ローラー１、２との間に配置された左右一対の介在ローラー５、６とで成ると共に、
ｂ）前記ワイヤー８は、左側の端部ローラー１に巻き掛けられて内方に向った後、左側の中央ローラー３に巻き掛けられて外方に向い、左側の介在ローラー５に巻き掛けられて再度内方に向い、右側の端部ローラー２に巻き掛けられて内方に向った後、右側の中央ローラー４に巻き掛けられて外方に向い、右側の介在ローラー６に巻き掛けられて再度内方に向い、前記左側の端部ローラー１に巻き掛けられる前の当該ワイヤー８に接続されてエンドレス状に形成されて成り、
ｃ）前記左側の端部ローラー１と左側の中央ローラー３に巻き掛けられるワイヤー８に前記一方のドア３０Ａの上部が接続され、前記右側の端部ローラー２と右側の中央ローラー４に巻き掛けられるワイヤー８に前記他方のドア３０Ｂの上部が接続され、前記左右いずれか一方のドア３０Ａ（又は３０Ｂ）の開き動作に応じて他方のドア３０Ｂ（又は３０Ａ）が同時に開き、前記左右いずれか一方のドア３０Ａ（又は３０Ｂ）の閉じ動作に応じて他方のドア３０Ｂ（又は３０Ａ）が同時に閉じる構成であることを特徴とする温室用のスライド式ドア。
【０００９】
請求項２に記載した発明は、前記請求項１又は２に記載した温室用のスライド式ドアの左右いずれか一方の介在ローラー６（又は５）が、他の各ローラー１、２、３、４、５（又は６）より上方かつ奥行方向に離隔して設けられていることを特徴とする。
【００１０】
請求項３に記載した発明は、前記請求項１に記載した温室用のスライド式ドアにおいて、左右いずれか一方の端部ローラー１（又は２）と、その端部ローラー１（又は２）とは反対側の介在ローラー６（又は５）との間に巻き掛けられるワイヤー８に、当該ワイヤー８の引張り力を調節するテンション用ローラー７が設けられていることを特徴とする。
【００１１】
請求項４に記載した発明は、前記請求項１又は３に記載した温室用のスライド式ドア３０（３０Ａ、３０Ｂ）の各上部３１の内端部に、Ｌ字型のワイヤー固定金具８０が設置され、そのワイヤー固定金具８０に前記ワイヤー８が接続固定されていることを特徴とする。
【００１２】
請求項５に記載した発明は、前記請求項１又は４に記載した温室用のスライド式ドア３０（３０Ａ、３０Ｂ）の戸車４０に、ベアリングが装填されていることを特徴とする。
【００１３】
請求項６に記載した発明は、前記請求項１に記載した温室用のスライド式ドアのベース板９が、前記上辺レール１２の内側面でＵボルト９１を介して温室１０の支柱パイプ１４に取り付けられていることを特徴とする。
【００１４】
請求項７に記載した発明は、前記請求項１又は２又は３又は４又は６に記載した温室用のスライド式ドアのローラー１〜６とワイヤー８が、ベース板９のない上辺レール１２に直接設置されていることを特徴とする。
【００１５】
請求項８に記載した発明は、前記請求項１又は４又は５又は６に記載した温室用のスライド式ドアの左右いずれか一方のドア３０Ａ（又は３０Ｂ）の上部３１に、第２ワイヤー５１引き込み式のぜんまいユニット５０が設置され、かつ前記第２ワイヤー５１の先端５１ａが前記上辺レール１２又はベース板９に接続され、左右いずれか一方のドア３０Ａ（又は３０Ｂ）が開かれた後の解除時に、前記ぜんまいユニット５０の第２ワイヤー５１が引き込まれて当該左右両方のドア３０Ａ、３０Ｂが同時に自閉されることを特徴とする。
【発明の効果】
【００１６】
本発明の温室用のスライド式ドアは、温室の出入口開口の上辺レール近傍で、エンドレス状ワイヤーと複数のローラーによる簡便な構造で実施でき、作業員は左右いずれか一方のドアを開閉するだけで、他方のドアが同時に自動的に開閉して使い勝手がよく、温室の内外を必要に応じて自由に通過でき、作業効率の向上に寄与する上、経済的に優れている。
また、僅かな力でスライド式ドアを開閉でき、開かれたドアはぜんまいユニットの第２ワイヤーに引き込まれてスムーズに自閉する自在性にも優れている。
【図面の簡単な説明】
【００１７】
【図１】（Ａ）はローラーとワイヤーが設置されたベース板を正面から示した説明図、（Ｂ）は（Ａ）のベース板のみを示した正面図である。
【図２】（Ａ）（Ｂ）（Ｃ）はワイヤーの動きを示した説明図である。
【図３】図１（Ａ）の中央部を示した拡大説明図である。
【図４】図２（Ａ）の中央部におけるスライド式ドアを示した一部切欠正面図である。
【図５】スライド式ドアを示した一部切欠側面図である。
【図６】ベース板の上辺レールへの取付け状態を示した一部切欠平面図である。
【図７】図５におけるＡ部分の拡大断面図である。
【図８】図５におけるＡ部分の拡大側面図である。
【図９】スライド式ドアのワイヤーへの接続状態を下方から示した一部切欠斜視図である。
【図１０】ワイヤー固定金具を示した斜視図である。
【図１１】ワイヤー固定金具とワイヤーの接続状態を下方から示した斜視図である。
【図１２】図１０のワイヤー固定金具の側面図である。
【図１３】ローラーを示した斜視図（Ａ）、側面図（Ｂ）、正面図（Ｃ）である。
【図１４】スペーサーを示した斜視図（Ａ）と裏面図（Ｂ）である。
【図１５】（Ａ）はエンドレス状のワイヤーを簡略して示した正面図、（Ｂ）は（Ａ）におけるＡ部分のカシメ状態の拡大正面図、（Ｃ）は（Ｂ）の裏面図である。
【図１６】温室に設置されたスライド式ドアのワイヤーとローラーの内部構造を示した正面図である。
【図１７】図１６のスライド式ドアを内側から示した正面図である。
【図１８】温室に設置されたスライド式ドアの開閉中途のワイヤーとローラーの内部構造を示した正面図である。
【図１９】図１８のスライド式ドアを内側から示した正面図である。
【図２０】温室に設置されたスライド式ドアの全開状態のワイヤーとローラーの内部構造を示した正面図である。
【図２１】全開状態のスライド式ドアにおいて、ぜんまいユニットの実施状況を示した正面図である。
【図２２】温室の妻面に設置されたスライド式ドアの全体図である。
【発明を実施するための最良の形態】
【００１８】
本実施形態の温室用のスライド式ドアについて、以下図面にしたがって説明する。
このスライド式ドアは、図２２に示したような温室１０の出入口開口１１の上辺レール１２近傍に設置されるベース板９に、エンドレス状のワイヤー８が複数のローラー１〜６を介して設置され（図１）、下辺レール１３内で戸車４０を備えた左右の当該スライド式ドア３０（３０Ａ、３０Ｂ）の各上部３１が前記ワイヤー８に接続されている（図９）。そして、左右いずれか一方の前記ドア３０Ａ又は３０Ｂの開閉に応じて他方のドア３０Ｂ又は３０Ａが同時に開閉され、温室１０の内外を通過して作業しやすくさせるために実施される。以下、左側のドアを符号３０Ａ、右側のドアを符号３０Ｂで示す。
【００１９】
ワイヤー８に接続されるスライド式ドア３０（３０Ａ、３０Ｂ）の戸車４０には、ベアリングを装填する形態で実施するのが好ましい。当該スライド式ドア３０（３０Ａ、３０Ｂ）の開閉をスムーズに行うためである。
なお、本実施形態における左右のスライド式ドア３０（３０Ａ、３０Ｂ）は、下辺レール１３内で戸車４０を備え、上辺レール１３内で当該ドア３０（３０Ａ、３０Ｂ）の抜け落ちを防ぐ突出金具３１ａ（図７）を備えた例について説明するが、図示を省略した上辺レール１２内で戸車４０を備えた形態でも同様に実施される。
【００２０】
ベース板９について説明する。このベース板９は、図１に示したように横長のプレート体で、アルミ製品によって横幅の全長が２７００ｍｍ程度、高さが１３０ｍｍ程度、板厚が３ｍｍ程度とされている。隣接するローラー１〜６が、このベース板９の所定位置にタッピング加工により取り付けられる。
当該ベース板９には、小さな長円形状で横長に穿設されて隣接する一対の小孔９０、９０が略等間隔で４ケ所穿設されている。この小孔９０は、主に左右両端の位置で、後述する妻面１５のハウス骨組を構成する支柱パイプ１４にＵボルト９１で固定するために設けられている（図１６、図１８参照）。或いは、上辺レール１２に固定する際にも使用される。なお、図示を省略する２本の上辺レール２、２が中央で接続した際の接続ボルトの逃がし窓として、中央部に若干大きな長円形状で横長に穿設された小孔９０’が一つ穿設されている。また、符号９５で示した小さな長円形状で縦長に穿設された小孔は、テンション用ローラー７をナット締めするためのものである。
【００２１】
ローラー１〜７について説明する。前記前記ベース板９の正面のプレート上に、７個のローラー１〜７が取り付けられている。各ローラー１〜７は、同じ製品で、図１３に示したように、合成樹脂製でφ＝２６ｍｍ程度の円柱状の回転自在な滑車１６に支軸１７が備わっている。溝部を有する前記滑車１６の厚さは７ｍｍ程度で、支軸１７は前記滑車１６の裏面の中心から８ｍｍ程度突き出て、テンション用ローラー７を除く各ローラー１〜６は、前記ベース板９の所定位置にネジ込まれている（図１、図８参照）。
これらのローラー１〜７は、設置される位置と機能の相違から、端部ローラー１、２と、中央ローラー３、４と、介在ローラー５、６の３つに大別され、残る一つはテンション用のローラー７である。
【００２２】
端部ローラー１、２は、前記ベース板９の両端部にそれぞれ配置して設置された左右一対の左側の端部ローラー１と右側の端部ローラー２である。詳しくは、ベース板９の左右両端部から各１５ｍｍ程度内側で、かつベース板９の下端から各７．５ｍｍ程度上方の位置に、左右の端部ローラー１、２はそれぞれ設置されている。
【００２３】
中央ローラー３、４は、前記ベース板９の中央部で、互いに近い位置で設置された左右一対の左側の中央ローラー３と右側の中央ローラー４である。詳しくは、左側の中央ローラー３は、ベース板９（全長２７００ｍｍ程度）の左端部から１３２５ｍｍ程度センターに寄った位置の下端（ベース板９の下端から７．５ｍｍ程度上方の位置）に設置され、同様に、右側の中央ローラー４は、ベース板９の右端部から１３２５ｍｍ程度センターに寄った位置の下端（ベース板９の下端から７．５ｍｍ程度上方の位置）に設置されている。別言すれば、ベース板９の中央（センターライン）から、２５ｍｍ程度ずつそれぞれ左右に離れた位置に、左右の中央ローラー３、４は設置されている。すなわち、この左右の中央ローラー３、４と前記左右の端部ローラー１、２とは、ベース板９の下端の同一レベル（ライン上）に設置される。
【００２４】
介在ローラー５、６は、前記中央ローラー３、４と前記端部ローラー１、２との間で介在するように、それぞれ左右一対で設置された左側の介在ローラー５と右側の介在ローラー６である。具体的には、左側の介在ローラー５は、芯芯寸法で前記左側の中央ローラー３から１００ｍｍ程度左方のやや上方位置（ベース板９の下端から２５ｍｍ程度上方の位置）に設置されている。
そして、右側の介在ローラー６は、前記右側の中央ローラー４の１３０ｍｍ程度右で、かつ他の各ローラー１、２、３、４、５、７より上方であるベース板９の下端から６５ｍｍ程度上方に位置すると共に、奥行方向では離隔用のワッシャー６０を介して、他の各ローラー１、２、３、４、５、７とは離隔して設けられている（図７）。左側の介在ローラー５から右側の端部ローラー２に亘るワイヤー８と、右側の中央ローラー４から当該右側の介在ローラー６に亘るワイヤー８とが接触しないようにするためである。但し、左右いずれか一方の介在ローラー６（又は５）が、他の各ローラー１、２、３、４、５（又は６）より上方かつ奥行方向に離隔して設けられればよい。そのため、右側の介在ローラー６を、右側の中央ローラー４のやや右方のやや上方位置で設置すると共に、左側の介在ローラー５を、左側の中央ローラー３のやや左で、かつ他の各ローラー１、２、３、４、６より上方に位置し、かつ奥行方向に他の各ローラー１、２、３、４、６とは離隔して設ける形態で実施することも可能である（図示は省略）。
また、前記した左右の介在ローラー５、６は、左右の中央ローラー３、４と左右の端部ローラー１、２との間で設置されればよく、それぞれ中央ローラー３、４の近くに設置しなくてもよい。
【００２５】
テンション用ローラー７は、芯芯寸法で右側の介在ローラー６の９５ｍｍ右方で、かつやや下方（但し、左側の介在ローラー５よりはやや上方）の位置に設置されている。テンション用のために高さ調整できるように、ベース板９の下端から３０〜６０ｍｍ程度上方位置で、ベース板９の小孔９５に当該テンション用ローラー７の支軸１７を挿通し、設置されるベース板９の上面側にワッシャーを入れ、裏面側にフランジナット７０を使用して緩めに取り付けられている（図７参照）。
【００２６】
ワイヤー８について説明する。ステンレス製のこのワイヤー８は、φ＝１．２ｍｍ程度で、全長が６．５ｍ程度である。図１５Ａ中の符号Ａで示した端部接続箇所において、図１５Ｂ、Ｃに示したように、同ワイヤー８は、その端部８ａ、８ｂが工具を使用してスリーブ８５でカシメて接続され、エンドレス状に形成されている。
当該ワイヤー８の前記ローラー１〜６への巻き掛け方を説明する。本実施例では、左側の端部ローラー１への巻き掛けからスタートする。まず、ワイヤー８は、左側の端部ローラー１に巻き掛けられて内方に向った後、左側の中央ローラー３に巻き掛けられて外方に向い、左側の介在ローラー５に巻き掛けられて再度内方に向う。そして、右側の端部ローラー２に巻き掛けられて内方に向った後、右側の中央ローラー４に巻き掛けられて外方に向い、右側の介在ローラー６に巻き掛けられて再度内方に向い、前記左側の端部ローラー１に巻き掛けられる前の当該ワイヤー８に接続されて、エンドレス状に形成されている。
但し、このワイヤー８のローラー１〜６への巻き掛けは、上述した反時計回りの巻き掛けのほか、時計回りで巻き掛けてもよく、巻き掛けスタートと終端の位置（ワイヤー８の端部８ａ、８ｂの接続位置）はエンドレス状になればどこであってもよい。
【００２７】
そして、前記右側の端部ローラー２と、その端部ローラー２とは反対側の左側の介在ローラー５との間に巻き掛けられる前記ワイヤー８に対し、前記テンション用ローラー７が上方からテンションをかけられ、当該ワイヤー８の引張り力がネジ止め加減により調節される。
よって、前記ローラー１〜６へ巻き掛けられた当該ワイヤー８は、図２Ａ、Ｂ、Ｃに示した動きをする仕組みになっている。すなわち、図２Ａ中、右側の中央ローラー４と右側の端部ローラー２間のワイヤー８において、符号Ｓ１で示した矢印位置から、ワイヤー８が図２Ｂに示した右の方へ移動されると、他の矢印で示したようにワイヤー８が移動し、左側の中央ローラー３と左側の端部ローラー１間の当該ワイヤー８は、図２Ａ中、Ｋ１の矢印位置から図２ＢではＫ２の矢印位置まで左に移動する。最終的に、図２Ｃ中の符号Ｓ３で示した右方の矢印で示した右端位置までワイヤー８が移動されると、図２Ｂの矢印Ｋ２は図２ＣではＫ３の矢印で示した左端位置まで左に移動する仕組みである。
要するに、上述したローラー１〜６へのワイヤー８の巻き掛けにより、右側のドア（３０Ｂ）が符号Ｓ１→Ｓ２→Ｓ３のように右方へ移動すると、左側のドア（３０Ａ）が符号Ｋ１→Ｋ２→Ｋ３のように反対方向の左方へ移動し、左右のドア３０Ａ、３０Ｂの互いに反対方向への動きが実現されている（図１６〜図２１参照）。
【００２８】
かくして、上述した各ローラー１〜６（７）に巻き掛けられるワイヤー８を備えたベース板９は、図８に示したように、ハウス骨組の妻面１５の上辺レール１２の内側面、詳しくは、上辺レール１２を抱持する上辺レール固定金具１８の内側面に設置されている。すなわち、ベース板９は、離隔用スペーサー９３を介して、上辺レール１２の外側面の温室１０の支柱パイプ１４に引っ掛けたＵボルト９１を、取付孔９０に挿通し、蝶ナット９２で上辺レール２を締付け、同上辺レール１２に当接して設置されている。なお、図１４に示した合成樹脂製のスペーサー９３は、φ＝１８ｍｍ程度、厚さ１０ｍｍ程度で通孔９３ａを有する円筒状に形成されている。
【００２９】
次に、前記ワイヤー８へのスライド式ドア３０（３０Ａ、３０Ｂ）の固定の仕方について説明する。
図９に示したように、スライド式ドア３０（３０Ａ、３０Ｂ）の各上部３１の内端部に、Ｌ字型のワイヤー固定金具８０が設置され、そのワイヤー固定金具８０に前記ワイヤー８が接続固定されている（図２、図４参照）。
ワイヤー固定金具８０は、図１０〜図１２に図示例のごとく、水平部８０ａと、同水平部３０ａの基部が下方に垂下した垂直部８０ｄとによりＬ字型に形成されている。水平部８０ａの先端には、ワイヤー８を挟み込む挟持金具８０ｂがワッシャー８０ｆ付組込みネジ８０ｃで締め付け自在に設けられている。垂直部８０ｄの中央は、下方にＵ字状に切欠された固定切欠部８０ｅに形成されている。
よって、図７と図９に図示例のごとく、スライド式ドア３０（３０Ａ、３０Ｂ）の各上部３１を構成する横桟の内端部に、ワイヤー固定金具８０垂直部８０ｄを当接し、その固定切欠部８０ｅに蝶ナット８２を挿し込み、板付ボルト８１で締め付け固定する。
そして、当該ワイヤー固定金具８０の水平部８０ａの下面と挟持金具８０ｂとの間に、ワイヤー８を挿通する。左側の端部ローラー１と左側の中央ローラー３に巻き掛けられるワイヤー８に前記左側のドア３０Ａの上部３１が接続され、前記右側の端部ローラー２と右側の中央ローラー４に巻き掛けられるワイヤー８に前記右側のドア３０Ｂの上部３１が接続され（図４参照）、そのように位置が決まったらそれぞれワッシャー８０ｆ付組込みネジ８０ｃにより締め付けて接続固定する。
【００３０】
なお、上述した温室用のスライド式ドアは、図２１に示したように、ぜんまいユニット５０を設置して好適に実施される。
すなわち、左右のスライド式ドア３０Ａ及び３０Ｂの各上部３１の閉じ方向寄りに内端に、第２ワイヤー５１引き込み式のぜんまいユニット５０がそれぞれ設置され、かつ第２ワイヤー５１の先端５１ａが前記上辺レール１２又はベース板９の中央位置に接続されている。前記ぜんまいユニット５０としては、互いに独立して回動可能なせんまい部とダンパ部（図示は両略）とに捲回する第２ワイヤー５１を介してスライド式ドア３０Ａ及び３０Ｂを自動的に閉止可能なユニット等で実施される。左右両方のドア３０Ａ、３０Ｂが開かれた後の解除時に、前記ぜんまいユニット５０の第２ワイヤー５１が引き込まれて両方のドア３０Ａ、３０Ｂが同時にスムーズに自閉される。但し、左右いずれかの３０Ａ又は０Ｂにのみ、ぜんまいユニット５０を設置する形態でも実施可能である。
【００３１】
したがって、この温室用のスライド式ドアは、図１６と図１７に示した閉じ状態で、作業員が、左右いずれか一方のドア３０Ａ又は３０Ｂを開ければ、図１８と図１９に示したそれに応じて他方のドア３０Ｂ又は３０Ａが同時に開いていき、図２０と図２１に示したように前記左右の両ドア３０Ａ及び３０Ｂが全開される。
閉じるときは、その逆で、図２０と図２１に示した全開状態で、作業員が、左右いずれか一方のドア３０Ａ又は３０Ｂを閉じれば、図１８と図１９に示した如くそれに応じて他方のドア３０Ｂ又は３０Ａが同時に閉じていき、最終的には、図１６と図１７に示した元の閉じ状態となる。
【００３２】
以上、実施例を図面に基づいて説明したが、本発明は、図示例の限りではなく、例えば、各ローラー１〜７とワイヤー８を、上述したベース板９のない上辺レール１２に直接設置して実施する等、その技術的思想を逸脱しない範囲において、当業者が通常に行う設計変更、応用のバリエーションの範囲を含むことを念のために言及する。
【符号の説明】
【００３３】
１、２    端部ローラー
３、４    中央ローラー
５、６    介在ローラー
６０      離隔用ワッシャー
７        テンション用ローラー
８        ワイヤー
８０      ワイヤー固定金具
８１      板付ボルト
８２      蝶ナット
９        ベース板
９０      取付孔
９１      Ｕボルト
９２      蝶ナット
９３      離隔用スペーサー
１０      温室
１１      出入口開口
１２      上辺レール
１３      下辺レール
１４      支柱パイプ
３０      スライド式ドア
３０Ａ    一方のドア
３０Ｂ    他方のドア
３１      上部
４０      戸車
５０      ぜんまいユニット
５１      第２ワイヤー
５１ａ    先端
【図１】
2020145934.tif 000003
【図２】
2020145934.tif 000004
【図３】
2020145934.tif 000005
【図４】
2020145934.tif 000006
【図５】
2020145934.tif 000007
【図６】
2020145934.tif 000008
【図７】
2020145934.tif 000009
【図８】
2020145934.tif 000010
【図９】
2020145934.tif 000011
【図１０】
2020145934.tif 000012
【図１１】
2020145934.tif 000013
【図１２】
2020145934.tif 000014
【図１３】
2020145934.tif 000015
【図１４】
2020145934.tif 000016
【図１５】
2020145934.tif 000017
【図１６】
2020145934.tif 000018
【図１７】
2020145934.tif 000019
【図１８】
2020145934.tif 000020
【図１９】
2020145934.tif 000021
【図２０】
2020145934.tif 000022
【図２１】
2020145934.tif 000023
【図２２】
2020145934.tif 000024